(57)【要約】【課題】後方部を身体の中心部に沿って装着できるようにすることにより、フィット性を向上させ、体液の漏れを防止する。【解決手段】裏面シート２側の面に形成された粘着剤層を剥離可能に覆う剥離材として、長手方向前側に配置された前側剥離材１０と、長手方向後側に配置された後側剥離材１１とから構成する。前記裏面シート２側の外面であって、生理用ナプキン１の後側端部の幅方向中央部に、前側に向けて開口するポケット空間１３が設けられ、後側剥離材１１は、粘着剤層を覆う被覆部１４と、前記被覆部１４の前端部から後側に向けて延びる引張り部１５とからなり、前記引張り部１５の端部が前記ポケット空間１３内に挿入されるとともに前記ポケット空間１３の端部で折り返され、この折り返し端部が前記開口１２から前記ポケット空間１３の外側に突出して設けられるようにする。【選択図】図１
2014171559.tif 000002
【特許請求の範囲】
【請求項１】
透液性表面シートと裏面シートとの間に吸収体が介在されるとともに、前記裏面シート側の面に形成された粘着剤層を剥離可能に覆う剥離材として、長手方向前側に配置された前側剥離材と、長手方向後側に配置された後側剥離材とから構成される吸収性物品であって、
前記裏面シート側の外面であって、前記吸収性物品の後側端部の幅方向中央部に、前側に向けて開口するポケット空間が設けられ、
前記後側剥離材は、前記粘着剤層を覆う被覆部と、前記被覆部の前端部から後側に向けて延びる引張り部とからなり、前記引張り部の端部が前記ポケット空間内に挿入されるとともに前記ポケット空間の端部で折り返され、この折り返し端部が前記開口から前記ポケット空間の外側に突出して設けられていることを特徴とする吸収性物品。
【請求項２】
前記ポケット空間は、少なくとも前記裏面シートの後側端部の幅方向中央部に前記吸収性物品の外形線より後側に延在させた延在部を設けておき、前記延在部を前記裏面シートの外面側に折り返すことにより形成するか、前記裏面シートの後側端部の幅方向中央部に、別体のポケットシートを配置することにより形成されている請求項１記載の吸収性物品。
【請求項３】
前記前側剥離材は、前記吸収性物品を個装する包装シートに対し堅固に固着されている請求項１、２いずれかに記載の吸収性物品。
【請求項４】
前記被覆部の前側の外形線は、幅方向中央部に向けて漸次幅狭になるように形成されている請求項１〜３いずれかに記載の吸収性物品。
【請求項５】
前記引張り部の先端には摘み用タブが設けられ、前記摘み用タブが前記開口から前記ポケット空間の外側に突出して設けられている請求項１〜４いずれかに記載の吸収性物品。
【請求項６】
前記後側剥離材が覆う粘着剤層は、前記吸収性物品の長手方向に沿うとともに幅方向に離間して複数設けられ、幅方向中心側に設けられる前記粘着剤層の前側端部が、幅方向外側に設けられる前記粘着剤層の前側端部より前側に位置するように配置されている請求項１〜５いずれかに記載の吸収性物品。
【請求項７】
前記後側剥離材が覆う粘着剤層は、前記吸収性物品の幅方向に沿うとともに長手方向に離間して複数設けられ、前側に設けられる前記粘着剤層の幅寸法が、後側に設けられる前記粘着剤層の幅寸法より幅狭に形成されている請求項１〜５いずれかに記載の吸収性物品。
【請求項８】
前記ポケット空間内部の外面側であって、前記吸収性物品の幅方向中央部に、指で触れたときに感知可能な触覚用目印が設けられている請求項１〜７いずれかに記載の吸収性物品。
【請求項９】
前記引張り部は、前記被覆部と重なる部分及び前記ポケット空間の内側部分に対し、一部で仮止めされている請求項１〜８いずれかに記載の吸収性物品。
【発明の詳細な説明】
【技術分野】
【０００１】
本発明は、経血やおりもの、尿などを吸収するための生理用ナプキン、パンティライナー、失禁パッド等の吸収性物品であって、特には夜用ナプキンなどのように後方部の長さを長く形成することにより臀部溝にフィットさせやすくした吸収性物品に関する。
【背景技術】
【０００２】
従来より、生理用ナプキン、パンティライナー、おりものシート、失禁パッドなどの吸収性物品５０としては、例えば図９に示されるように、ポリエチレンシートまたはポリエチレンラミネート不織布などからなる不透液性の裏面シート５１と、不織布または透孔性プラスチックシートなどからなる透液性の表面シート５２との間に綿状パルプなどからなる吸収体５３が介在された本体部分の両側部に夫々、装着時に下着のクロッチ部分を巻き込むようにして固定されるウイング状フラップ５４、５４が形成されるとともに、これより後側の前記本体部分の両側部に夫々、装着時に下着の臀部内面側に固定されるヒップホールド用フラップ５５、５５が形成されたものが知られている。
【０００３】
この種の吸収性物品５０では、装着状態時にズレ止めを図るために、例えば前記本体部分の非肌当接面側（裏面シート５１の外面）に１または複数条の粘着剤層５６…が形成されるとともに、前記ウイング状フラップ５４、５４及びヒップホールド用フラップ５５、５５の裏面シート５１側の面（外面）にそれぞれ粘着剤層５７、５７及び５８、５８が設けられている。
【０００４】
前記吸収性物品５０を個装するに際しては、前記粘着剤層５６…、５７…、５８…を紙又はフィルムからなる剥離紙によって被覆するとともに、吸収性物品５０の外面側に包装シートを配置し、吸収性物品５０、剥離紙及び包装シートを共に長手方向に三つ折り〜五つ折りの複数折りとし、側縁部分をヒートシールするとともに、開封部をタグテープ等により止着するようにしている。
【０００５】
一方、前記吸収性物品５０を下着に装着する際には、吸収性物品５０を包装シートから取り出し、粘着剤層５６、５７、５８を覆う剥離紙を取り除いた後、図１０に示されるように、吸収性物品５０を局所にあてがい、側方に突出する前記ウイング状フラップ５４、５４を下着より取り出し、両ウイング状フラップ５４、５４を折返し線ＲＬ、ＲＬで折返し、下着のクロッチ部分を巻き込むようにしながら前記ウイングズレ止め粘着剤層５７、５７を下着３０の股間部外面に接着すると同時に、前記ヒップホールド用フラップ５５、５５を臀部部分にて拡げてヒップズレ止め粘着剤層５８、５８を下着の臀部内面側に接着するようにする。
【０００６】
この種の吸収性物品にも幾多の改良が重ねられ、例えば下記特許文献１においては、バックシートの外面には補助シートが設けられ、前記補助シートは、一部が前記バックシートに接合され、他部が前記バックシートに接合されないことにより、前記補助シートと前記バックシートとの間に指を挿入するためのポケットが形成され、前記ポケットが吸収性物品の幅方向中心線の両側に設けられたものが開示されている。
【０００７】
また、下記特許文献２においては、粘着剤層が、長さ方向の前側に位置する前方粘着層と、前記前方粘着層とは離間して長さ方向の後側に位置する後方粘着層とを含み、保護シートが、前記前方粘着層を覆う前方保護シートと、これとは別体であって前記後方粘着層を覆う後方保護シートとを含み、前記前方保護シートが外装材に固着している一方、前記後方保護シートは外装材に固着していない吸収性物品が開示されている。
【先行技術文献】
【特許文献】
【０００８】
【特許文献１】特開２０１２−１３９３５３号公報
【特許文献２】特許第４８０１４００号公報
【発明の概要】
【発明が解決しようとする課題】
【０００９】
主に就寝時に使用する夜用ナプキンなどの場合、後方からの漏れを防止するため、後方の長さを長く形成したものが多く市販されている。ところが、このような後方に長い吸収性物品の場合、後方がどのような位置に装着されているのか目視で確認することができないため、吸収性物品が臀部の溝に沿って真っ直ぐに装着するのが難しく、臀部溝の方向に対して左右にずれることが多かった。左右にずれた状態で装着すると、後方部のフィット性が低下するため、後端や後方側部からの漏れが生じる可能性が高かった。また、真っ直ぐに固定できなかったときは、吸収性物品を一度下着から外して再度位置調整をし直して固定する手間がかかるとともに、下着から取り外す際にヒップホールド用フラップに皺が寄って粘着剤層同士がくっついて再度の止着が不可能になったり、粘着剤層の粘着力が低下して装着中にずれやすくなったりする問題があった。
【００１０】
一方、上記特許文献１記載の吸収性物品では、指を挿入するためのポケットを形成することによって、フラップを容易に立ち上げることができるようにしているが、吸収性物品の幅方向中央部を臀部の溝に沿って位置合わせする機能は備えられていない。
【００１１】
また、上記特許文献２記載の吸収性物品では、個包装体から吸収性物品を取り出すと、前方保護シートは個包装体に固着しているため、前方粘着層が露出し、後方保護シートは個包装体に固着していないため、後方粘着層を覆ったままであるので、後方粘着層の意図しない接着が防止できるようになっているが、吸収性物品の幅方向中央部を身体の中心部に合わせて装着することは困難であった。
【００１２】
そこで本発明の主たる課題は、後方部を身体の中心部に沿って装着できるようにすることにより、フィット性を向上させ、体液の漏れを防止した吸収性物品を提供することにある。
【課題を解決するための手段】
【００１３】
上記課題を解決するために請求項１に係る本発明として、透液性表面シートと裏面シートとの間に吸収体が介在されるとともに、前記裏面シート側の面に形成された粘着剤層を剥離可能に覆う剥離材として、長手方向前側に配置された前側剥離材と、長手方向後側に配置された後側剥離材とから構成される吸収性物品であって、
前記裏面シート側の外面であって、前記吸収性物品の後側端部の幅方向中央部に、前側に向けて開口するポケット空間が設けられ、
前記後側剥離材は、前記粘着剤層を覆う被覆部と、前記被覆部の前端部から後側に向けて延びる引張り部とからなり、前記引張り部の端部が前記ポケット空間内に挿入されるとともに前記ポケット空間の端部で折り返され、この折り返し端部が前記開口から前記ポケット空間の外側に突出して設けられていることを特徴とする吸収性物品が提供される。
【００１４】
上記請求項１記載の発明では、粘着剤層を覆う剥離材が、長手方向前側に配置された前側剥離材と、長手方向後側に配置された後側剥離材とによって構成されているため、吸収性物品の装着に際して、はじめに前側剥離材のみを取り除き、後側の粘着剤層が後側剥離材で覆われたままの状態で、吸収性物品の前側部分を下着の所定位置に固定できる。このため、後側部分の粘着剤層が意図しない部分にくっついたり粘着剤層同士がくっついたりする誤接着が防止できるようになる。
【００１５】
また、前記裏面シート側の面であって、前記吸収性物品の後側端部の幅方向中央部に、前側に向けて開口するポケット空間が設けられている。前記ポケット空間を設けることによって、装着時に、この空間内に指を挿入し、吸収性物品の後側を身体の中心（臀部の溝）に合わせて位置決めすることができるようになるとともに、前記ポケット空間が前側に向けて開口しているため、指を挿入した状態で上側に引き上げるだけで、吸収性物品の後側を臀部の溝に食い込ませるようにして装着できるようになる。なお、このときの位置調整においては、後側剥離材が吸収性物品後側の粘着剤層を覆っているため、下着にくっつくことなく、自由に調整できる。
【００１６】
さらに、前記後側剥離材は、前記粘着剤層を覆う被覆部と、前記被覆部の前端部から後側に向けて延びる引張り部とからなり、前記引張り部の端部が前記ポケット空間内に挿入されるとともに前記ポケット空間の端部で折り返され、この折り返し端部が前記開口から前記ポケット空間の外側に突出して設けられているため、前記ポケット空間に人差し指や中指を挿入した状態で外側から親指を添えると、既に前記引張り部の端部を摘んだ状態となっている。この状態で前述の通り位置決めをした後、後側剥離材を取り除こうとするときには、前述の通り既に引張り部の端部を摘んだ状態であるので、持ち替えることなく、そのまま引張り部の端部を上方に引き上げれば、後側剥離材の前側端部から剥離材が徐々に剥がされ、吸収性物品の後側が身体にフィットした状態のまま下着に固定できるようになる。このため、体液の漏れが防止できるようになる。
【００１７】
請求項２に係る本発明として、前記ポケット空間は、少なくとも前記裏面シートの後側端部の幅方向中央部に前記吸収性物品の外形線より後側に延在させた延在部を設けておき、前記延在部を前記裏面シートの外面側に折り返すことにより形成するか、前記裏面シートの後側端部の幅方向中央部に、別体のポケットシートを配置することにより形成されている請求項１記載の吸収性物品が提供される。
【００１８】
上記請求項２記載の発明では、前記ポケット空間を形成するための手段について規定してあり、少なくとも前記裏面シートの後側端部の幅方向中央部に前記吸収性物品の外形線より後側に延在させた延在部を設けておき、この延在部を前記裏面シートの外面側に折り返すことにより形成してもよいし、前記裏面シートの後側端部の幅方向中央部に、別体のポケットシートを配置することにより形成してもよい。
【００１９】
請求項３に係る本発明として、前記前側剥離材は、前記吸収性物品を個装する包装シートに対し堅固に固着されている請求項１、２いずれかに記載の吸収性物品が提供される。
【００２０】
上記請求項３記載の発明では、包装シートによって個装された吸収性物品を取り出す際に、前側剥離材が包装シート側に残って粘着剤層から剥離できるため、吸収性物品を取り出した後に前側剥離材を剥がす手間を省くことができるようになる。
【００２１】
請求項４に係る本発明として、前記被覆部の前側の外形線は、幅方向中央部に向けて漸次幅狭になるように形成されている請求項１〜３いずれかに記載の吸収性物品が提供される。
【００２２】
上記請求項４記載の発明では、前記被覆部の前側の外形線を、幅方向中央部に向けて漸次幅狭になるように形成することによって、被覆部の前端部から後側に向けて延びる引張り部を引っ張ったときに、幅方向中央部から徐々に剥離するため、引っ張ったときの抵抗力が低減されスムーズに剥がれるようになるとともに、吸収性物品にも皺がよらないため、しっかりと下着に固定できるようになる。
【００２３】
請求項５に係る本発明として、前記引張り部の先端には摘み用タブが設けられ、前記摘み用タブが前記開口から前記ポケット空間の外側に突出して設けられている請求項１〜４いずれかに記載の吸収性物品が提供される。
【００２４】
上記請求項５記載の発明では、前記引張り部の先端に摘み用タブを設けておき、この摘み用タブをポケット空間の外側に突出して設けておくことによって、装着時に引張り部を引っ張る際、摘み用タブを摘んで引っ張ることができ、引っ張り操作がしやすくなる。
【００２５】
請求項６に係る本発明として、前記後側剥離材が覆う粘着剤層は、前記吸収性物品の長手方向に沿うとともに幅方向に離間して複数設けられ、幅方向中心側に設けられる前記粘着剤層の前側端部が、幅方向外側に設けられる前記粘着剤層の前側端部より前側に位置するように配置されている請求項１〜５いずれかに記載の吸収性物品が提供される。
【００２６】
上記請求項６記載の発明では、前記後側剥離材によって覆われる粘着剤層が、吸収性物品の長手方向に沿うとともに幅方向に離間して複数設けられる場合、後側剥離材が吸収性物品の前側からスムーズに剥離できるように、幅方向中心側に設けられる粘着剤層の前側端部が、幅方向外側に設けられる粘着剤層の前側端部より前側に位置するように配置している。
【００２７】
請求項７に係る本発明として、前記後側剥離材が覆う粘着剤層は、前記吸収性物品の幅方向に沿うとともに長手方向に離間して複数設けられ、前側に設けられる前記粘着剤層の幅寸法が、後側に設けられる前記粘着剤層の幅寸法より幅狭に形成されている請求項１〜５いずれかに記載の吸収性物品が提供される。
【００２８】
上記請求項７記載の発明では、前記後側剥離材によって覆われる粘着剤層が、吸収性物品の幅方向に沿うとともに幅方向に離間して複数設けられる場合、後側剥離材が吸収性物品の前側からスムーズに剥離できるように、前側に設けられる粘着剤層の幅寸法が、後側に設けられる粘着剤層の幅寸法より幅狭に形成されるようにしている。
【００２９】
請求項８に係る本発明として、前記ポケット空間内部の外面側であって、前記吸収性物品の幅方向中央部に、指で触れたときに感知可能な触覚用目印が設けられている請求項１〜７いずれかに記載の吸収性物品が提供される。
【００３０】
上記請求項８記載の発明では、装着時に前記ポケット空間に指を入れたとき幅方向中央部分であることが明確に認識できるように、前記ポケット空間内部の外面側であって、吸収性物品の幅方向中央部に、突起やざらつき感のあるもの又は硬さの異なるものなどを配置して、指で触れたときに感知可能な触覚用目印を設けている。
【００３１】
請求項９に係る本発明として、前記引張り部は、前記被覆部と重なる部分及び前記ポケット空間の内側部分に対し、一部で仮止めされている請求項１〜８いずれかに記載の吸収性物品が提供される。
【００３２】
上記請求項９記載の発明では、包装シートから吸収性物品を取り出す際や、装着作業中に、引張り部がずれてポケット空間から動いてしまわないように、引張り部の被覆部と重なる部分及びポケット空間の内側部分に仮止めするようにしている。
【発明の効果】
【００３３】
以上詳説のとおり本発明によれば、後方部を身体の中心部に沿って装着できるようになるとともに、フィット性が向上でき、体液の漏れが防止できるようになる。
【図面の簡単な説明】
【００３４】
【図１】本発明に係る生理用ナプキン１の裏面側の展開図である。
【図２】装着要領を示す図１のII−II線矢視図である。
【図３】後側剥離材１１の展開図である。
【図４】他の形態例に係る後側剥離材１１の展開図である。
【図５】他の形態例に係る生理用ナプキン１の要部拡大図である。
【図６】(A)、(B)は、ポケット空間１３の製造工程を示す要部拡大図である。
【図７】触覚用目印１９の配置要領を示す要部拡大図である。
【図８】他の形態例に係る生理用ナプキン１の裏面側の展開図である。
【図９】従来の生理用ナプキン５０を示す表面側の展開図である。
【図１０】生理用ナプキン５０の装着状態図である。
【発明を実施するための形態】
【００３５】
以下、本発明の実施の形態について図面を参照しながら詳述する。
【００３６】
〔生理用ナプキン１の基本構造〕
本発明に係る生理用ナプキン１は、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４とによって構成された本体部分の長手方向両側縁部に、前記裏面シート２と表面シート３との貼り合わせ部分により側方に突出し、装着時に下着のクロッチ部分を巻き込むようにして固定されるウイング状フラップＷ、Ｗが形成されるとともに、これより後側の前記本体部分の長手方向両側縁部には、同様に前記裏面シート２と表面シート３との貼り合わせ部分により側方に突出し、装着時に下着の臀部内面側に固定されるヒップホールド用フラップＷＢ、ＷＢが形成されている。なお、表面両側部には、それぞれ長手方向に沿ってサイド不織布を形成しても良く、この場合には前記ウイング状フラップＷ、Ｗ及びヒップホールド用フラップＷＢ、ＷＢは、裏面シート２とサイド不織布との貼り合わせ部分によって形成されるようになる。前記サイド不織布によって、立体ギャザーを形成することも可能である。また、前記吸収体４は形状保持および拡散性向上のためにクレープ紙で囲繞することができる。
【００３７】
前記ウイング状フラップＷ、Ｗの裏面シート２側の面（裏面）には、ウイングズレ止め粘着剤層８、８が形成されるとともに、ヒップホールド用フラップＷＢ、ＷＢの裏面シート２側の面（裏面）には、ヒップズレ止め粘着剤層９、９が形成されている。また、前記表面シート３と裏面シート２との間に吸収体４が介在された本体部分の裏面には、下着に対する固定のために適宜の塗布パターンによって複数条の、図示例では２条の本体ズレ止め粘着剤層７，７が形成されている。
【００３８】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌当接面側（外面側）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３９】
図２に示されるように、前記裏面シート２の外面であって、生理用ナプキン１の後側端部の幅方向中央部に、前側に向けて開口する開口部１２を備えたポケット空間１３が設けられている。このポケット空間１３については、後段で詳述する。
【００４０】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００４１】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４を囲繞するクレープ紙を設ける場合には、結果的に透液性表面シート３と吸収体４との間にクレープ紙が介在することになり、吸収性に優れる前記クレープ紙によって体液を速やかに拡散させるとともに、これら経血等の逆戻りを防止するようになる。
【００４２】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００４３】
前記ズレ止め粘着剤層７，８，９を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４４】
前記本体ズレ止め粘着剤層７は、ナプキン前側に配置される前側粘着剤層７ａ、７ａと、前記前側粘着剤層７ａの後側に離間して、ナプキン後側に配置される後側粘着剤層７ｂ、７ｂとから構成されている。
【００４５】
前記ズレ止め粘着剤層７、８、９は、生理用ナプキン１の個装時に、図１に示されるように所定形状の剥離材によって覆われる。この剥離材としては、ズレ止め粘着剤層７、８、９に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００４６】
前記ズレ止め粘着剤層７、８、９を剥離可能に覆う剥離材としては、ナプキン前側に配置された粘着剤層を覆う前側剥離材１０と、ナプキン後側に配置された粘着剤層を覆う後側剥離材１１とから構成されている。このように、粘着剤層を覆う剥離材を前側剥離材１０と後側剥離材１１に分割して設けることによって、生理用ナプキン１の装着に際して、はじめに前側剥離材１０のみを取り除き、後側剥離材１１が後側の粘着剤層７ｂ、９を覆ったままの状態で、生理用ナプキン１の前側部分を下着の所定位置に固定できるので、後側部分の粘着剤層が意図しない部分にくっついたり粘着剤層同士がくっついたりする誤接着が防止できるようになる。
【００４７】
前記前側剥離材１０は、図１に示されるように、前記前側粘着剤層７ａ、７ａ及びウイングズレ止め粘着剤層８、８を一体的に覆っている。図示例では、前記前側剥離材１０は、前側粘着剤層７ａ、７ａを覆うようにナプキン長手方向に沿って配置された第１剥離材１０ａと、前記ウイングズレ止め粘着剤層８、８を覆うようにナプキン幅方向に沿って配置された第２剥離材１０ｂとからなり、これらの重なり部分において堅固に固着され、一体化されている。なお、前記前側剥離材１０は、１枚の剥離材によって形成することも可能である。
【００４８】
前記前側剥離材１０は、生理用ナプキン１を個装する包装シート（図示せず）に堅固に固着することが好ましい。これにより、包装シートから生理用ナプキン１を取り出す際、前側剥離材１０が包装シート側に残って、ナプキンから剥離されるため、生理用ナプキン１から前側剥離材１０を剥がす手間が省けるようになる。
【００４９】
一方、前記後側剥離材１１は、図１に示されるように、前記後側粘着剤層７ｂ、７ｂ及びヒップズレ止め粘着剤層９、９を一体的に覆う被覆部１４と、前記被覆部１４の前端部に連設され、この前端部から後側に向けて延びる引張り部１５とから構成されている。
【００５０】
前記被覆部１４は、ナプキン幅方向に離間してナプキン長手方向に沿って形成された前記粘着剤層７ｂ、９を完全に一体的に覆う大きさで形成され、平面形状としては全体的にナプキン幅方向に長い略矩形状に形成されている。
【００５１】
前記被覆部１４のナプキン前側の外形線１４ａは、ナプキン幅方向中央部に向けて漸次幅狭になるように形成されている。すなわち、幅方向中心側から外側に向けてナプキン後側に直線的に傾斜する略台形状に形成されている。
【００５２】
また、前記引張り部１５は、前記被覆部１４のナプキン前側の幅方向中央部から連続的に延びる帯状の部材で、前記被覆部１４より幅寸法が短く形成されている。前記引張り部１５は、展開状態では、図３に示されるように前記被覆部１４の前側に延びるように形成されているが、ナプキンに取り付けた状態では、図１に示されるように前記被覆部１４と引張り部１５との境界位置で前記被覆部１４の外面側に折り返され、この折り返し状態で前記引張り部１５の先端部分が前記被覆部１４の後側外形線１４ｂより後側に延在する長さで形成されている。
【００５３】
前記引張り部１５の端部は、図２に示されるように、前記開口１２からポケット空間１３内に挿入されるとともに、ポケット空間１３の内面に沿って配置され、且つポケット空間１３の端部でナプキン外側に折り返され、この折り返し端部が前記開口１２から前記ポケット空間１３の外側に突出して設けられている。
【００５４】
本生理用ナプキン１の装着に際しては、前述の通り、個装状態から取り出した生理用ナプキン１の前側剥離材１０のみを取り除き、生理用ナプキン１の前側部分を下着に固定する。次に、図２に示されるように、前記ポケット空間１３内に人差し指又は中指を挿入した状態で、この挿入した指を身体の中心（臀部の溝）に合わせて位置決めする。すなわち、この操作だけで、生理用ナプキン１の後側部分が身体の中心に沿って配置されるようになる。また、このとき、前記ポケット空間１３の開口１２がナプキン前側に向けて設けられているため、ポケット空間１３に指を挿入した状態で上方に引き上げれば、生理用ナプキン１の後側部分を簡単に臀部の溝に食い込ませて装着できるようになる。なお、このときの位置調整においては、後側剥離材１１が粘着剤層７ｂ、９を覆っているため、下着にくっつくことなく、自由な調整が可能である。
【００５５】
更に、前記引張り部１５の端部がポケット空間１３内に挿入されるとともに、ポケット空間１３の端部で折り返され、この折り返し端部が開口１２からポケット空間１３の外側に突出して設けられているため、ポケット空間１３に人差し指や中指を挿入した状態で外側から親指を添えると、既にポケット空間１３から突出した引張り部１５の端部を摘んだ状態となっている。この状態で上述の位置調整を行った後、後側剥離材１１を取り除いてナプキン後側部分を下着に固定しようとするときは、前述の通り既に位置調整している手が引張り部１５の端部を摘んだ状態であるので、手を持ち替えることなく、そのまま引張り部１５の端部を上方に引き上げれば、被覆部１４の前側端部から徐々に剥がされて、ナプキン後側が身体にフィットした状態のまま下着に固定できるようになる。従って、体液の漏れが防止できるようになる。
【００５６】
このとき、前記被覆部１４の前側外形線１４ａが幅方向中央部に向けて漸次幅狭に形成されているため、後側剥離材１１を取り除くに当たって、前記引張り部１５を引っ張ったとき、前記被覆部１４の幅方向中央部から後側に向けて徐々に剥離範囲が拡大するように剥離されるため、引張り部１５を引っ張るときの初動の抵抗力が軽減されスムーズな剥離が可能になるとともに、生理用ナプキン１にも皺がよりにくくなるため、しっかりと下着に固定できるようになる。
【００５７】
ところで、前記引張り部１５の先端には、図１及び図２に示されるように、摘み用タブ１６を設けることができる。前記摘み用タブ１６を設けたときは、この摘み用タブ１６をポケット空間１３の外側に突出して設けておくようにすることが好ましい。前記摘み用タブ１６は、引張り部１５を引っ張って後側剥離材１１を剥離する際に、手で摘みやすくするとともに、引張り部１５の剛性を高めて引っ張りやすくするためのものである。
【００５８】
前記摘み用タブ１６の剛性を高める手段としては、次の３通りの方法が考えられる。(1)引張り部１５の先端を折り返して２重以上の多層構造とする。(2)引張り部１５の端部にエンボスを付与する。(3)引張り部１５の先端に別部材を貼付する。前記(3)の別部材を貼付する場合について詳しく説明すると、前記摘み用タブ１６は、引張り部１５の一方面側に接着した別部材を先端から更に外側に突出して設けるとともに、突出部分の先端で折り返し、引張り部１５の他方面側に接着することにより二重シート状としたものである。別部材からなる摘み用タブ１６の素材としては、不織布やプラスチックフィルムなどを用いることができる。
【００５９】
前記後側剥離材１１の平面形状について図３に基づいて詳しく説明すると、展開状態で、引張り部１５のナプキン長手方向と、被覆部１４の前側外形線１４ａとの成す角αは、９０°〜１６０°、好ましくは１１０°〜１５０°とするのがよい。これにより、被覆部１４の初動のめくれが生じやすくなる。前記被覆部１４のナプキン長手方向の長さＬは、被覆する粘着剤層７ｂ、９の長さによって異なるが、６０ｍｍ〜１２０ｍｍ、好ましくは７０ｍｍ〜１００ｍｍとするのがよい。つまり、ナプキン後側に配置される粘着剤層７ｂ、９は、この被覆部１４が覆う範囲内に配置するようにする。これにより、ナプキン後側の粘着剤層７ｂ、９を下着に強固に固定できる。
【００６０】
前記後側剥離材１１を構成する素材としては、引張り部１５の端部を指で摘んで引き上げて被覆部１４を前側端部から折り返すように剥離させるため、柔軟性を有する素材を用いることができるが、適度な引張強度を有するプラスチックフィルムを用いるのがよい。また、プラスチックフィルムを用いた方が、紙よりもガサガサ音が低く抑えられるため、装着時の作業音が低減できる。
【００６１】
前記後側剥離材１１は、図４に示されるように、種々の形態で形成することが可能である。同図４(A)は被覆部１４の前側形状線１４ａをナプキン幅方向中央部に頂点を有する円弧状に形成したもの、(B)は引張り部１５の幅寸法が基端部側に向けて漸次拡大するとともに、引張り部１５の側部外形線を内側に凸の円弧状に形成したもの、(C)は引張り部１５の幅寸法が基端部側に向けて漸次拡大するとともに、引張り部１５の側部外形線を直線状に形成したものである。また、前記後側剥離材１１は、被覆部１４と引張り部１５とが明確に区別されていなくても、図４(D)、(E)に示されるように、ナプキン後側に折り返した部分が引張り部１５として作用し、この引張り部１５が基端側の被覆部１４より幅狭になるように形成されるようにしてもよい。
【００６２】
ナプキン後側に配置される粘着剤層７ｂ、９の配置形態としては、図１に示されるように、それぞれナプキン長手方向に沿うとともに、幅方向に離間して複数配設される場合、ナプキン幅方向中心側に設けられる粘着剤層７ｂの前側端部が、幅方向外側に設けられる粘着剤層の前側端部よりナプキン前側に位置するように配置されるようにすることが好ましい。これにより、被覆部１４の剥離が前側の中央部から徐々に幅方向外側に拡がっていくようになるため、後側剥離材１１のよりスムーズな剥離が可能になる。
【００６３】
一方、図５に示されるように、ナプキン後側に配置される粘着剤層が、前記本体ズレ止め粘着剤層７ｂ、ヒップズレ止め粘着剤層９の区別なく、それぞれナプキン幅方向に沿うとともにナプキン長手方向中心線に整列して、ナプキン長手方向にほぼ等間隔で離間して複数の粘着剤層１７、１７…が設けられ、ナプキン前側に配置される粘着剤層１７の幅寸法が、後側に配置される粘着剤層１７の幅寸法より幅狭になるように形成してもよい。これによって、上記と同様に後側剥離材１１のよりスムーズな剥離が可能になる。
【００６４】
前記ポケット空間１３を形成するには、図６に示されるように、裏面シート２の後側端部の幅方向中央部に生理用ナプキン１の外形線より後側に延在させた延在部１８を設けておき、この延在部１８を裏面シート２の外面側に折り返した後、同図(B)に示されるように両側部を接着剤やヒートシール等の接合手段によって接合する。前記延在部１８は、裏面シート２及び表面シート３の貼り合わせ部分を延在させ、これらシート２、３の貼り合わせ部分によって形成してもよい。
【００６５】
また、前記ポケット空間１３は、図示しないが、裏面シート２の後側端部の幅方向中央部であって、裏面シート２の外面側に、別体のポケットシートを配置し、両側部及び生理用ナプキン１の外縁部を接着剤やヒートシール等の接合手段によって接合することによって形成することもできる。
【００６６】
前記ポケット空間１３の開口１２からの奥行き（ナプキン長手方向寸法）は、人差し指又は中指の第１関節が挿入可能な寸法とするのがよく、具体的には２５mm〜４０mmが好ましく、２５mm〜３０mmがより好ましい。また、ポケット空間１３の幅（ナプキン幅方向寸法）は、指が１本又は２本挿入可能な幅とするのがよく、具体的には２０mm〜４０mmが好ましく、２０mm〜２５mmがより好ましい。前記開口１２の辺の形状は、直線でも内側又は外側に凸の曲線でもよい。
【００６７】
図７に示されるように、前記ポケット空間１３内部の外面側であって、生理用ナプキン１の幅方向中央部に、突起やざらつき感のあるメカニカルテープのようなもの又は硬さの異なるものなど、指で触れたときに感知可能な触覚用目印１９を設けておくことが好ましい。前記触覚用目印１９を設けることによって、装着時にポケット空間１３に指を入れたとき幅方向中央部分であることが明確に認識できるようになる。
【００６８】
前記生理用ナプキン１を製造するには、予め、必要に応じて引張り部１５の先端部に前記摘み用タブ１６が備えられた後側剥離材１１の前記引張り部１５を、被覆部１４の非剥離面側に折り返しておく。このとき図８に示されるように、引張り部１５と被覆部１４との積層部分で両者を仮止めする仮止め部２０を設けておくことが好ましい。その後、後側剥離材１１の被覆部１４の剥離面側であってナプキン後側の本体ズレ止め粘着剤層のうちの後側粘着剤層７ｂ及びヒップズレ止め粘着剤層９に相当する部分にそれぞれ接着剤を塗布しておき、裏面シート２の外面に載置して各接着剤を転写させる。このとき同図８に示されるように、前記裏面シート２の延在部１８（該延在部１８を折り返してポケット空間１３を形成した状態でポケット空間１３の内側となる部分）と引張り部１５との積層部分で両者を仮止めする仮止め部２１を設けておくことが好ましい。しかる後、前記延在部１８を引張り部１５とともに折り返し両側部を接合して、裏面シート２の外面側にポケット空間１３を形成する。
【符号の説明】
【００６９】
１…生理用ナプキン、２…裏面シート、３…表面シート、４…吸収体、７…本体ズレ止め粘着剤層、８…ウイングズレ止め粘着剤層、９…ヒップズレ止め粘着剤層、１０…前側剥離材、１１…後側剥離材、１２…開口、１３…ポケット空間、１４…被覆部、１５…引張り部、１６…摘み用タブ
【図１】
2014171559.tif 000003
【図２】
2014171559.tif 000004
【図３】
2014171559.tif 000005
【図４】
2014171559.tif 000006
【図５】
2014171559.tif 000007
【図６】
2014171559.tif 000008
【図７】
2014171559.tif 000009
【図８】
2014171559.tif 000010
【図９】
2014171559.tif 000011
【図１０】
2014171559.tif 000012